(57)【要約】【課題】  複数の画像の中から所望の画像を選択する際の作業性を向上させる。【解決手段】  サブウィンドウＷＤ２の作業フィールドＦＬ２３には、候補用エリアＡ１と候補外用エリアＡ２とが、操作者からの入力操作を受けて切り換え可能に表示される。候補用エリアＡ１には、複数の画像データのサムネールが表示される。操作者は、候補用エリアＡ１上でサムネールをクリック操作により選択指示して、その後、切換ボタンＣＢをクリックすることで、そのサムネールに対応する画像データを、選択の候補外に切り換えることができる。【選択図】        図９
2008263617.tif 000002
【特許請求の範囲】
【請求項１】
所定の表示エリアに複数の画像を一覧表示するとともに、操作者からの入力操作を受けて、前記表示エリア内の複数の画像の中から所望の画像を選択する画像選択装置において、
前記複数の画像のそれぞれが、前記選択の候補となる候補画像と候補とならない候補外画像とのどちらに該当するかを記憶する候補／候補外記憶手段と、
前記候補／候補外記憶手段により候補画像に該当すると記憶された画像を、前記表示エリアに表示させる候補画像表示制御手段と、
前記候補画像表示制御手段により表示エリアに表示された画像の中から１または複数の画像を、前記操作者からの入力操作に応じて指示する画像指示手段と、
候補画像を候補外画像に変更する旨を、前記操作者からの入力操作に応じて指示する変更指示手段と、
前記変更指示手段によって前記指示がなされたときに、前記画像指示手段による指示によって定まる画像についての候補／候補外記憶手段における記憶を候補外画像に変更する変更実行手段と
を備えることを特徴としている画像選択装置。
【請求項２】
請求項１に記載の画像選択装置であって、
前記表示エリアに、前記候補画像を表示するための候補用エリアと、前記候補外画像を表示するための候補外用エリアとを切換え可能に表示するエリア表示制御手段と、
前記操作者からの入力操作に応じて、前記表示エリアの表示を候補用エリアと候補外用エリアとの間で切り換えるエリア切換手段と
を備え、
前記候補画像表示制御手段は、
前記エリア切換手段により前記候補用エリアへの切換えがなされたときに、前記画像の前記候補用エリアへの表示を実行させる手段
を備える画像選択装置。
【請求項３】
請求項２に記載の画像選択装置であって、
前記エリア切換手段により前記候補外用エリアへの切換えがなされたときに、前記候補／候補外記憶手段により候補外画像に該当すると記憶された画像を、前記候補外用エリアに表示させる候補外画像表示制御手段
を備える画像選択装置。
【請求項４】
請求項２または３に記載の画像選択装置であって、
前記変更指示手段は、
前記候補用エリアに設けられ、前記指示を発生するためのボタンスイッチ
を備える画像選択装置。
【請求項５】
請求項２ないし４のいずれかに記載の画像選択装置であって、
前記操作者からの入力操作に応じて、前記候補外用エリアに表示された画像の中から１または複数の画像を、前記操作者からの入力操作に応じて指示する第２画像指示手段と、
候補外画像を候補画像に変更する旨を、前記操作者からの入力操作に応じて指示する第２変更指示手段と、
前記第２変更指示手段によって前記指示がなされたときに、前記第２画像指示手段による指示によって定まる画像についての候補／候補外記憶手段における記憶を候補画像に変更する第２変更実行手段と
を備える画像選択装置。
【請求項６】
請求項２ないし５のいずれかに記載の画像選択装置であって、
前記エリア表示制御手段は、
前記候補用エリアと候補外用エリアとを、それぞれカード型に形成する手段を備え、
前記エリア切換手段は、
前記候補用エリアまたは候補外用エリアを構成するカードの端に設けたタブが、操作者からの入力操作により指示されたときに、両エリアの表示を切り換える手段を備える画像選択装置。
【請求項７】
請求項２ないし６に記載の画像選択装置であって、
前記操作者からの入力操作に応じて、前記候補用エリアに表示される画像の中から１の画像を最終選択画像として指示する最終選択画像指示手段と、
前記最終選択画像に対応した画像データを、格納場所である記憶手段から読み出す画像データ入力手段と
を備える画像選択装置。
【請求項８】
所定の表示エリアに複数の画像を一覧表示するとともに、操作者からの入力操作を受けて、前記表示エリア内の複数の画像の中から所望の画像を選択する画像選択装置において、
前記表示エリアには、前記選択の候補となる候補画像を表示するための候補用エリアと、前記選択の候補外となる候補外画像を表示するための候補外用エリアとを、操作者からの入力操作を受けて切り換え可能に表示するエリア表示制御手段と、
前記複数の画像を前記候補画像として前記候補用エリアに表示する候補画像表示制御手段と、
前記操作者からの入力操作に応じて、前記候補用エリア内の候補画像の中から１または複数の画像を指示する候補画像指示手段と、
前記操作者からの入力操作に応じて、候補画像を候補外画像に変更する旨を指示する変更指示手段と、
前記変更指示手段によって前記指示がなされたときに、前記候補画像指示手段による指示によって定まる候補画像を、前記候補用エリアの表示から削除するとともに、前記候補外画像として設定する設定変更手段と
を備えることを要旨としている。
【請求項９】
所定の表示エリアに複数の画像を一覧表示するとともに、操作者からの入力操作を受けて、前記表示エリア内の複数の画像の中から所望の画像を選択する画像選択方法において、
（ａ）前記複数の画像のそれぞれが、前記選択の候補となる候補画像と候補とならない候補外画像とのどちらに該当するかを記憶する候補／候補外登録テーブルに、前記複数の画像の全てを候補画像として登録する工程と、
（ｂ）前記候補／候補外登録テーブルで候補画像として登録された画像を、前記表示エリアに表示させる工程と、
（ｃ）前記工程（ｂ）により表示エリアに表示された画像の中から１または複数の画像を、前記操作者からの入力操作に応じて指示する工程と、
（ｄ）候補画像を候補外画像に変更する旨を、前記操作者からの入力操作に応じて指示する工程と、
（ｅ）前記工程（ｄ）によって前記指示がなされたときに、前記工程（ｃ）による指示によって定まる画像についての候補／候補外登録テーブルにおける登録を候補外画像に変更する工程と
を備えることを特徴としている画像選択方法。
【請求項１０】
所定の表示エリアに複数の画像を一覧表示するとともに、操作者からの入力操作を受けて、前記表示エリア内の複数の画像の中から所望の画像を選択するためのコンピュータプログラムであって、
（ａ）前記複数の画像のそれぞれが、前記選択の候補となる候補画像と候補とならない候補外画像とのどちらに該当するかを記憶する候補／候補外登録テーブルに、前記複数の画像の全てを候補画像として登録する機能と、
（ｂ）前記候補／候補外登録テーブルで候補画像として登録された画像を、前記表示エリアに表示させる機能と、
（ｃ）前記機能（ｂ）により表示エリアに表示された画像の中から１または複数の画像を、前記操作者からの入力操作に応じて指示する機能と、
（ｄ）候補画像を候補外画像に変更する旨を、前記操作者からの入力操作に応じて指示する機能と、
（ｅ）前記機能（ｄ）によって前記指示がなされたときに、前記機能（ｃ）による指示によって定まる画像についての候補／候補外登録テーブルにおける登録を候補外画像に変更する機能と
をコンピュータに実現させるコンピュータプログラム。
【請求項１１】
請求項１０に記載のコンピュータプログラムであって、さらに、
（ｆ）前記表示エリアに、前記候補画像を表示するための候補用エリアと、前記候補外画像を表示するための候補外用エリアとを切換え可能に表示する機能と、
（ｇ）前記操作者からの入力操作に応じて、前記表示エリアの表示を候補用エリアと候補外用エリアとの間で切り換える機能と
をコンピュータに実現させるとともに、
前記機能（ｂ）は、
前記機能（ｇ）により前記候補用エリアへの切換えがなされたときに、前記画像の前記候補用エリアへの表示を実行させる機能を備える、コンピュータプログラム。
【請求項１２】
請求項１１に記載のコンピュータプログラムであって、さらに、
前記機能（ｇ）により前記候補外用エリアへの切換えがなされたときに、前記候補／候補外登録テーブルで候補外画像として登録された画像を、前記候補外用エリアに表示させる機能
をコンピュータに実現させるコンピュータプログラム。
【請求項１３】
請求項１０ないし１２のいずれかに記載のコンピュータプログラムを記録したコンピュータ読み取り可能な記録媒体。
【発明の詳細な説明】
【技術分野】
【０００１】
本発明は、所定の表示エリアに複数の画像を一覧表示するとともに、操作者からの入力操作を受けて、前記表示エリア内の複数の画像の中から所望の画像を選択する技術に関する。
【背景技術】
【０００２】
近年、電子スチールカメラ、いわゆるデジタルカメラが開発され、一般的に普及しつつある。デジタルカメラを用いれば、多数の写真を手軽に、経済的に撮影することができる。このために、撮影した多数の写真画像から優れた１枚（あるいは複数枚）を選別するという作業が重要である。
【０００３】
上記選別の作業を行なうことが可能なものとして、画像編集用のアプリケーションソフトウェアがある。画像編集用のアプリケーションソフトウェアは、デジタルカメラで撮影した写真画像をパーソナルコンピュータに取り込んで、表示したり加工したりするものである。このようなソフトウェアは、通常、フォルダ内に存在する複数の画像データを、予め定めた所定の大きさに縮小して、ウィンドウ内に一覧表示する機能と、操作者によるクリック操作を受け付けて、ウィンドウ内に表示された縮小画像（サムネール）の中から所望のものを選択する機能とを備える。これら機能によって上記写真画像の選別の作業が可能となる。
【０００４】
しかしながら、従来の技術では、一度の選別の作業で、最良のものを選ぶ必要があった。選択の候補となる候補画像を何枚かに絞って、また、その候補画像の中からさらに候補となるものを絞り込んでいくというように、選別の作業を複数回行なって最終的な１枚を決めるといったことが難しかった。このように選別の作業を複数回行なうには、選別の作業を行なう毎に新たなフォルダを作って、選別した画像をそのフォルダ内に転送して、次いで、そのフォルダ内の画像をウィンドウに表示して、そのウィンドウ内から選別を行なう必要があり、作業性が悪かった。
【発明の開示】
【発明が解決しようとする課題】
【０００５】
本発明は、上述の課題を解決するためになされたものであり、複数の画像の中から所望の画像を選択する際の作業性を向上させることを目的としている。
【課題を解決するための手段】
【０００６】
前述した課題の少なくとも一部を解決するための手段として、以下に示す構成をとった。
【０００７】
本発明の第１の画像選択装置は、
所定の表示エリアに複数の画像を一覧表示するとともに、操作者からの入力操作を受けて、前記表示エリア内の複数の画像の中から所望の画像を選択する画像選択装置において、
前記複数の画像のそれぞれが、前記選択の候補となる候補画像と候補とならない候補外画像とのどちらに該当するかを記憶する候補／候補外記憶手段と、
前記候補／候補外記憶手段により候補画像に該当すると記憶された画像を、前記表示エリアに表示させる候補画像表示制御手段と、
前記候補画像表示制御手段により表示エリアに表示された画像の中から１または複数の画像を、前記操作者からの入力操作に応じて指示する画像指示手段と、
候補画像を候補外画像に変更する旨を、前記操作者からの入力操作に応じて指示する変更指示手段と、
前記変更指示手段によって前記指示がなされたときに、前記画像指示手段による指示によって定まる画像についての候補／候補外記憶手段における記憶を候補外画像に変更する変更実行手段と
を備えることを要旨としている。
【０００８】
ここで、複数の画像には、画像データで表わされる画像や、その画像データで表わされる画像を縮小したいわゆるサムネールなどが含まれる。
【０００９】
上記構成の第１の画像選択装置によれば、候補／候補外記憶手段に候補画像に該当すると記憶された画像が、表示エリアに表示される。これら表示された画像の中から１または複数の画像が、操作者からの入力操作に応じて指示される。また、候補画像を候補外画像に変更する旨の指示が、操作者からの入力操作に応じてなされる。この指示がなされたときに、上記指示によって定まる画像は、候補／候補外記憶手段で候補外画像として記憶が変更される。
【００１０】
このために、第１の画像選択装置によれば、操作者は、候補用エリア上で画像を選択して、候補画像を候補外画像に変更する旨の指示を入力するだけで、候補画像を順に絞り込んでいくことができる。したがって、複数の画像の中から所望の画像を選択する際に、新たなフォルダを作成したり等の余分な作業を行なう必要がないことから、作業性を向上させることができる。
【００１１】
前記設定切換手段における「候補画像指示手段による指示によって定まる画像」とは、候補画像指示手段によって指示された１または複数の画像そのものである態様と、候補画像指示手段によって指示された１または複数の画像を除いた残りの候補画像である態様とが含まれる。
【００１２】
本発明の第１の画像選択装置において、前記表示エリアに、前記候補画像を表示するための候補用エリアと、前記候補外画像を表示するための候補外用エリアとを切換え可能に表示するエリア表示制御手段と、前記操作者からの入力操作に応じて、前記表示エリアの表示を候補用エリアと候補外用エリアとの間で切り換えるエリア切換手段とを備え、前記候補画像表示制御手段は、前記エリア切換手段により前記候補用エリアへの切換えがなされたときに、前記画像の前記候補用エリアへの表示を実行させる手段を備える構成とすることができる。
【００１３】
この構成によれば、候補用エリアと候補外用エリアとを切り換えて表示することができ、候補用エリアへ表示を切り換えた際に、候補画像をその候補用エリア内に表示させることができる。
【００１４】
この候補用エリアと候補外用エリアとを切り換えて表示することを可能とした画像選択装置（以下、「エリア切換え可能な画像選択装置」という）において、前記エリア切換手段により前記候補外用エリアへの切換えがなされたときに、前記候補／候補外記憶手段により候補外画像に該当すると記憶された画像を、前記候補外用エリアに表示させる候補外画像表示制御手段を備える構成とすることができる。
【００１５】
この構成によれば、候補外用エリアへ表示を切り換えた際には、候補外画像をその候補外用エリア内に表示させることができる。したがって、操作者は、候補用エリアと候補外用エリアとの表示を切り換えるだけで、候補用画像と候補外用画像とを簡単に把握することができることから、画像の絞り込みの作業性をより向上させることができる。
【００１６】
上記エリア切換え可能な画像選択装置において、前記変更指示手段は、前記候補用エリアに設けられ、前記指示を発生するためのボタンスイッチを備えた構成とすることができる。
【００１７】
この構成によれば、操作者は、候補用エリアに設けられたボタンスイッチを操作するだけで、画像指示手段による指示によって定まる画像を候補画像から候補外画像に変更することができる。したがって、より操作性に優れている。
【００１８】
また、上記エリア切換え可能な画像選択装置において、前記操作者からの入力操作に応じて、前記候補外用エリアに表示された画像の中から１または複数の画像を、前記操作者からの入力操作に応じて指示する第２画像指示手段と、候補外画像を候補画像に変更する旨を、前記操作者からの入力操作に応じて指示する第２変更指示手段と、前記第２変更指示手段によって前記指示がなされたときに、前記第２画像指示手段による指示によって定まる画像についての候補／候補外記憶手段における記憶を候補画像に変更する第２変更実行手段とを備える構成とすることができる。
【００１９】
この構成によれば、候補外用エリアに表示された候補外画像を、候補画像に変更することができる。このために、候補画像と候補外画像とは相互に他方側に、簡単な操作で変更することができることから、より作業性に優れている。
【００２０】
上記エリア切換え可能な画像選択装置において、前記エリア表示制御手段は、前記候補用エリアと候補外用エリアとを、それぞれカード型に形成する手段を備え、前記エリア切換手段は、前記候補用エリアまたは候補外用エリアを構成するカードの端に設けたタブが、操作者からの入力操作により指示されたときに、両エリアの表示を切り換える手段を備える構成とすることができる。
【００２１】
この構成によれば、操作者は、候補用エリアと候補外用エリアを、カード型として認識することができる。また、カード型のエリアに設けられたタブを指示するという操作を行なうだけで、候補用エリアと候補外用エリアとの表示を切り換えることができる。したがって、操作性に優れている。
【００２２】
上記エリア切換え可能な画像選択装置において、前記操作者からの入力操作に応じて、前記候補用エリアに表示される画像の中から１の画像を最終選択画像として指示する最終選択画像指示手段と、前記最終選択画像に対応した画像データを、格納場所である記憶手段から読み出す画像データ入力手段とを備える構成とすることができる。
【００２３】
この構成によれば、記憶手段に格納されている複数の画像データから、最終的な１の画像を作業性よく、格納場所から読み出すことができる。
【００２４】
本発明の第２の画像選択装置は、
所定の表示エリアに複数の画像を一覧表示するとともに、操作者からの入力操作を受けて、前記表示エリア内の複数の画像の中から所望の画像を選択する画像選択装置において、
前記表示エリアには、前記選択の候補となる候補画像を表示するための候補用エリアと、前記選択の候補外となる候補外画像を表示するための候補外用エリアとを、操作者からの入力操作を受けて切り換え可能に表示するエリア表示制御手段と、
前記複数の画像を前記候補画像として前記候補用エリアに表示する候補画像表示制御手段と、
前記操作者からの入力操作に応じて、前記候補用エリア内の候補画像の中から１または複数の画像を指示する候補画像指示手段と、
前記操作者からの入力操作に応じて、候補画像を候補外画像に変更する旨を指示する変更指示手段と、
前記変更指示手段によって前記指示がなされたときに、前記候補画像指示手段による指示によって定まる候補画像を、前記候補用エリアの表示から削除するとともに、前記候補外画像として設定する設定変更手段と
を備えることを要旨としている。
【００２５】
上記構成の第２の画像選択装置によれば、表示エリアに切り換えて表示される候補用エリアに、複数の画像が候補画像として表示される。これら候補画像の中から１または複数の画像が、操作者からの入力操作に応じて指示される。また、候補画像を候補外画像に変更する旨の指示が、操作者からの入力操作に応じてなされる。この指示がなされたときに、上記指示によって定まる候補画像が、候補用エリアの表示から削除され、候補外画像として設定が移される。
【００２６】
このために、本発明の第２の画像選択装置によれば、操作者は、候補用エリア上で画像を選択して、候補画像を候補外画像に変更する旨の指示を入力するだけで、候補画像を順に絞り込んでいくことができる。したがって、複数の画像の中から所望の画像を選択する際に、新たなフォルダを作成したり等の余分な作業を行なう必要がないことから、作業性を向上させることができる。
【００２７】
本発明の画像選択方法は、
所定の表示エリアに複数の画像を一覧表示するとともに、操作者からの入力操作を受けて、前記表示エリア内の複数の画像の中から所望の画像を選択する画像選択方法であって、
（ａ）前記表示エリアには、前記選択の候補となる候補画像を表示するための候補用エリアと、前記選択の候補外となる候補外画像を表示するための候補外用エリアとを、操作者からの入力操作を受けて切り換え可能に表示する工程と、
（ｂ）前記複数の画像を前記候補画像として前記候補用エリアに表示する工程と、
（ｃ）前記操作者からの入力操作に応じて、前記候補用エリア内の候補画像の中から１または複数の画像を指示する工程と、
（ｄ）前記操作者からの入力操作に応じて、候補画像を候補外画像に移行する旨を指示する工程と、
（ｅ）前記工程（ｄ）によって前記指示がなされたときに、前記工程（ｃ）による指示によって定まる候補画像を、前記候補用エリアの表示から削除するとともに、前記候補外画像として設定する工程と
を備えることを要旨としている。
【００２８】
本発明のコンピュータプログラムは、
所定の表示エリアに複数の画像を一覧表示するとともに、操作者からの入力操作を受けて、前記表示エリア内の複数の画像の中から所望の画像を選択するためのコンピュータプログラムであって、
（ａ）前記表示エリアには、前記選択の候補となる候補画像を表示するための候補用エリアと、前記選択の候補外となる候補外画像を表示するための候補外用エリアとを、操作者からの入力操作を受けて切り換え可能に表示する機能と、
（ｂ）前記複数の画像を前記候補画像として前記候補用エリアに表示する機能と、
（ｃ）前記操作者からの入力操作に応じて、前記候補用エリア内の候補画像の中から１または複数の画像を指示する機能と、
（ｄ）前記操作者からの入力操作に応じて、候補画像を候補外画像に移行する旨を指示する機能と、
（ｅ）前記機能（ｄ）によって前記指示がなされたときに、前記機能（ｃ）による指示によって定まる候補画像を、前記候補用エリアの表示から削除するとともに、前記候補外画像として設定する機能と
をコンピュータに実現させることを要旨としている。
【００２９】
上記構成の画像選択方法およびコンピュータプログラムは、本発明の第１の画像選択装置と同様な作用・効果を有しており、複数の画像の中から所望の画像を選択する際の作業性を向上させることができるという効果を奏する。
【００３０】
本発明の記録媒体は、本発明のコンピュータプログラムを記録したコンピュータ読み取り可能な記録媒体を特徴としている。この記録媒体は、本発明のコンピュータプログラムと同様な作用・効果を有している。
【００３１】
本発明は、以下のような他の態様も含んでいる。その第１の態様は、本発明のコンピュータプログラムを通信経路を介して供給するプログラム供給装置としての態様である。この第１の態様では、コンピュータプログラムをコンピュータネットワーク上のサーバなどに置き、通信経路を介して、必要なプログラムをコンピュータにダウンロードし、これを実行することで、上記の方法や装置を実現することができる。第２の態様は、上述した本発明の第２の画像選択装置を、方法の発明として捉えた態様である。第３の態様は、その第２の態様をコンピュータプログラムとして捉えた態様である。
【発明を実施するための最良の形態】
【００３２】
本発明の実施の形態を実施例に基づき説明する。この実施例を、次の順序に従って説明する。
Ａ．装置の構成：
Ｂ．コンピュータ処理：
Ｃ．作用・効果
Ｄ．他の実施形態：
【００３３】
Ａ．装置の構成：
図１は、本発明の一実施例を適用するコンピュータシステムの概略構成を示す説明図である。この実施例のコンピュータシステムは、本発明を構成する画像選択装置としてのパーソナルコンピュータ１０を中心に備える。パーソナルコンピュータ１０は、コンピュータ本体１２と液晶ディスプレイ１４とキーボード１６とマウス１８を備える。
【００３４】
コンピュータ本体１２は、デジタルカメラ２０によって撮影した写真画像の画像データを、メモリカードやケーブルを介して読み込み、液晶ディスプレイ１４に写真画像のサムネールを一覧表示し、そのサムネールから最良の写真画像を選択する。そして、その選択された写真画像に対して加工処理を施したり、プリンタ３０によってその写真画像を印刷したりする。
【００３５】
コンピュータ本体１２は、中央演算処理装置としてのＣＰＵを中心にバスにより相互に接続されたＲＯＭ、ＲＡＭ、表示画像メモリ、マウスインタフェース、キーボードインタフェース等を備える。また、コンピュータ本体１２は、内蔵のハードディスクドライブ、ＣＤ−Ｒ／ＲＷドライブ等を備える。このハードディスクドライブには、デジタルカメラ２０によって撮影した写真画像の画像データが、多数、格納される。
【００３６】
図では、コンピュータ本体１２は、内部で実現される機能のブロックによって示されている。これら機能ブロックの集まりによって構成される制御部４０はソフトウェア的に構成されたものである。すなわち、制御部４０は、コンピュータ本体１２にインストールされたソフトウェア（コンピュータプログラム）をＣＰＵが実行することにより実現される。ここでは、このソフトウェアは、フォトレタッチソフトウェアであり、ＣＤ−ＲＯＭによって提供されたものである。
【００３７】
なお、このソフトウェアは、ＣＤ−ＲＯＭに替えて、フレキシブルディスク、光磁気ディスク、ＩＣカード等の他の携帯型記録媒体（可搬型記録媒体）に格納された構成として、これらから提供されたものとすることができる。また、このソフトウェアは、外部のネットワークに接続される特定のサーバから、ネットワークを介して提供されたものとすることもできる。上記ネットワークとしては、インターネットであってもよく、特定のホームページからダウンロードして得たコンピュータプログラムであってもよい。あるいは、電子メールの添付ファイルの形態で供給されたコンピュータプログラムであってもよい。
【００３８】
制御部４０の構成は次の通りである。制御部４０は、候補／候補外記憶部４１、候補画像表示制御部４２、画像指示部４３、変更指示部４４、変更実行部４５を備える。候補／候補外記憶部４１は、複数の画像のそれぞれが、選択の候補となる候補画像と候補外画像のどちらに該当するかを記憶するものである。詳細には、この候補／候補外記憶部４１は、ＲＡＭ上に用意される後述する候補／候補外登録テーブルとこのテーブルにアクセスする機能を併せ持つ。
【００３９】
候補画像表示制御部４２は、候補／候補外記憶部４１により候補画像に該当すると記憶された画像を、液晶ディスプレイ１４の画面上の表示エリアＡに表示する。この表示される画像は、画像データのサムネールＴＮである。画像指示部４３は、それらサムネールＴＮの中から１または複数の画像を指示する。この指示は、マウス１８から入力部５０を介して受け取るクリック操作に応じてなされる。
【００４０】
変更指示部４４は、候補画像を候補外画像に変更する旨を指示する。この指示も、マウス１８から入力部５０を介して受け取るクリック操作に応じてなされる。変更実行部４５は、変更指示部４４によって前記指示がなされたときに、画像指示部４３によって指示された１または複数の画像について、候補／候補外記憶部４１における記憶を候補画像から候補外画像に変更する。
【００４１】
Ｂ．コンピュータ処理：
コンピュータ本体１２のＣＰＵでフォトレタッチソフトウェアを実行することで、制御部４０の各部４１ないし４５を実現している。フォトレタッチソフトウェアは、各部４１ないし４５以外にも様々な機能を有するが、このフォトレタッチソフトウェアの概容を説明するために、このフォトレタッチソフトウェアが提供するアプリケーションウィンドウの初期状態についてまず説明する。
【００４２】
図２は、このアプリケーションウィンドウＷＤ１の初期状態を示す説明図である。アプリケーションウィンドウＷＤ１は、グラフィカル・ユーザ・インタフェース（ＧＵＩ）を構成しており、図示するように、処理メニューのフィールドＬ１に、「入力」、「修整」、「印刷」、「出力」の４種類のボタンＢＴ１，ＢＴ２，ＢＴ３，ＢＴ４を備える。作業者は、これらボタンＢＴ１〜ＢＴ４をマウス１８によりクリックしていくことで、ＣＲＴディスプレイ１２の画面上で、デジタルカメラ２０で撮影した写真画像を加工して出力する作業を進めていくことができる。
【００４３】
アプリケーションウィンドウＷＤ１は、表示された最初は、「入力」のボタンＢＴ１が選択された状態となっており、ツールバーＦＬ２には、写真の入力の方法を指定するための「絞り込み入力」、「ファイルから入力」、「ＴＷＡＩＮから入力」の各ボタンＢＴ５，ＢＴ６，ＢＴ７が設けられている。作業者は、「絞り込み入力」のボタンＢＴ５をマウス１８によりクリックすることで、上記制御部４０の各部４１ないし４５を実現する画像選択処理のルーチンを実行することができる。この画像選択処理のルーチンについて、以下、詳細に説明する。
【００４４】
図３は、画像選択処理のルーチンを示すフローチャートである。このフローチャートは、処理の概要を示すゼネラルフローチャートである。図示するように、処理が開始されると、コンピュータ本体１２のＣＰＵは、まず、複数の画像データのサムネールを表示エリアＡに一覧表示する処理を実行する（ステップＳ１００）。次いで、その表示エリア内のサムネールを選択指示して、これら選択指示したサムネールについての画像データを候補外画像に変更する処理を行なう（ステップＳ２００）。そして、必要に応じて、表示エリアＡの表示を切り換える（後述する候補用エリアＡ１と候補外用エリアＡ２との間の切り換え）処理を行なう（ステップＳ３００）。
【００４５】
続いて、候補画像から最終的な一つの画像を選択する処理を行なう（ステップＳ４００）。その後、その選択された一つの画像に対応する画像データをその格納場所からメモリ上に読み出すとともに、液晶ディスプレイ１４に表示する処理を行なう（ステップＳ５００）。こうして、この画像選択処理のルーチンは終了する。この画像選択処理のルーチンによって、ハードディスクドライブ等の記憶媒体に格納された画像データを入力する作業が完了する。その後、上述したアプリケーションウィンドウＷＤ１に設けられたボタンＢＴ２ないしＢＴ４が必要に応じてクリックされて、各ボタンＢＴ２ないしＢＴ４に対応した「修整」、「印刷」、「出力」の作業が、上記入力された画像データに対して施されることになる。「修整」、「印刷」、「出力」の作業については、この発明とは関係しないことから、詳しい説明は省略する。
【００４６】
図４は、ステップＳ１００で実行される一覧表示処理の詳細を示す説明図である。図示するように、処理が開始されると、コンピュータ本体１２のＣＰＵは、まず、この画像選択処理のルーチンを実行開始後、初めてであるか否かを判別する（ステップＳ１１０）。ここで、初めてであると判別されたときには、サブウィンドウＷＤ２を初期状態で液晶ディスプレイ１４に表示する処理を行なう（ステップＳ１２０）。サブウィンドウＷＤ２は、前述してきた表示エリアＡに相当するものである。
【００４７】
図５は、初期状態のサブウィンドウＷＤ２を示す説明図である。サブウィンドウＷＤ２も、ＧＵＩを構成しており、図示するように、ツールバーＦＬ２１と、ファイル指定のフィールドＦＬ２２と、作業フィールドＦＬ２３とが設けられている。ファイル指定のフィールドＦＬ２２は、選択の対象となる画像データの格納場所を、「ファイル」や「フォルダ」を用いて指定するためのフィールドである。この指定は、作業者によるマウス１８のクリック操作に従うものである。また、ハードディスクドライブは勿論のこと、ＣＤ−ＲＯＭ等の他の記録媒体上の格納場所を指定することができ、デジタルカメラ２０の記録媒体を直接指定することもできる。
【００４８】
作業フィールドＦＬ２３は、ファイル選択のフィールドＦＬ２２で指定されたファイルまたはフォルダに格納されている画像データをサムネールにて一覧表示するとともに、作業者によるマウス１８のクリック操作を受けて、その一覧表示された画像データの中から所望のものを選択するためのフィールドである。初期状態では、作業フィールドＦＬ２３には、後ほど詳述する候補用エリアＡ１が表示されている。
【００４９】
図４に戻り、コンピュータ本体１２のＣＰＵは、ステップＳ１２０でサブウィンドウＷＤ２の初期状態の表示がなされると、次いで、ファイル指定のフィールドＦＬ２２に対する作業者によるマウス１８のクリック操作を受けて、選択の対象となる画像データの格納場所である「ファイル」や「フォルダ」を選択する処理を行なう（ステップＳ１２５）。続いて、ＣＰＵは、ステップＳ１２５で選択された「ファイル」や「フォルダ」に格納された全ての画像データを、候補／候補外登録テーブルに登録する処理を行なう（ステップＳ１３０）。図６は、候補／候補外登録テーブルＴＢＬのデータ構成を示す説明図である。図示するように、候補／候補外登録テーブルＴＢＬは、「候補画像」のフィールドＴａと、「候補外画像」のフィールドＴｂとから構成されており、フィールドＴａには、候補画像となる画像データのファイル名が、フィールドＴｂには、候補外画像となる画像データのファイル名がそれぞれ格納される。
【００５０】
図６に例示するように、ファイル指定のフィールドＦＬ２２で指定されたフォルダが「２００２１１０２」という名前のフォルダである場合、ステップＳ１３０では、そのフォルダに格納された全ての画像データ、すなわち、「画像データ１」、「画像データ２」、...、「画像データ２０」が、候補／候補外登録テーブルＴＢＬの「候補画像」のフィールドＴａにそのデータ名でもって登録されることになる。なお、このステップＳ１３０の時点では、「候補外画像」のフィールドＴｂには、データの格納はない。
【００５１】
図４に戻り、ステップＳ１３０の実行後、ＣＰＵは、フラグＦを値０にセットして（ステップＳ１４０）、処理をステップＳ１５０に進める。一方、ステップＳ１１０で、否定判別、すなわち、初めてでないと判別された場合には、ステップＳ１２０ないしＳ１４０の処理を実行することなしに、ステップＳ１５０に処理を進める。
【００５２】
ステップＳ１５０では、ＣＰＵは、フラグＦが値０であるか否かの判別を行なう。ここで、フラグＦが値０であると判別されると、ＣＰＵは、候補用エリアＡ１を、サブウィンドウＷＤ２の作業フィールドＦ２３内に表示する（作業フィールドＦ２３内に既に表示された画像がある場合にはその画像は消した上で表示を行なう）処理を行なう（ステップＳ１６０）とともに、「候補画像」と登録された画像データのサムネールを、候補用エリアＡ１内に表示する処理を行なう（ステップＳ１７０）。
【００５３】
図７は、ステップＳ１６０，Ｓ１７０の実行後のサブウィンドウＷＤ２の一例を示す説明図である。図示するように、サブウィンドウＷＤ２の作業フィールドＦ２３内に表示された候補用エリアＡ１は、カード型の形状をしており、左上隅には、「入力候補」のタブＴＢ１が設けられている。なお、タブＴＢ１の右隣には、「候補外」のタブＴＢ２が設けられており、このタブＴＢ２がマウス１８によりクリックされると、作業フィールドＦ２３内の表示を、後述する候補外用エリアＡ２に切換え可能となっている。
【００５４】
図４のステップＳ１７０では、詳細には、ＣＰＵは、候補／候補外登録テーブルＴＢＬの「候補画像」のフィールドＴａに格納されたデータ名を順に読み出して、そのデータ名に対応する画像データを、その格納場所から読み出して、それら画像データからサムネールを作成して（画像データが、サムネールを含むデータ形式である場合には、データ名に対応する画像データのサムネールを読み出して）、それらサムネールを候補用エリアＡ１内に表示する。この結果、図７に示すように、候補用エリアＡ１内に、候補／候補外登録テーブルＴＢＬで候補画像であると登録された画像データのサムネールＴＮが一覧表示されることになる。
【００５５】
一方、ステップＳ１５０で、否定判別、すなわち、フラグＦが値０でない（＝値１）であると判別された場合には、ＣＰＵは、候補外用エリアＡ２を、サブウィンドウＷＤ２の作業フィールドＦ２３内に表示する（作業フィールドＦ２３内に既に表示された画像がある場合にはその画像は消した上で表示を行なう）処理を行なう（ステップＳ１８０）とともに、「候補外画像」と登録された画像データのサムネールを、候補外用エリアＡ２内に表示する処理を行なう（ステップＳ１９０）。候補外用エリアＡ２は、候補用エリアＡ１と同様に、候補カード型の形状をしており、左上には、「入力候補」と「候補外」のタブＴＢ１，ＴＢ２が設けられている。
【００５６】
ステップＳ１８０の処理は、詳細には、候補外用エリアＡ２の候補用エリアＡ１との相違する部分、すなわち、後述する変更ボタンＣＢの画面上の表示と、タブＴＢ１，ＴＢ２のいずれが全面にでているかの表示についてだけを描画し直し、共通部分については、候補用エリアＡ１の表示を利用するようにしている。この構成によって、表示の高速化を図ることができる。なお、候補外用エリアＡ２全体を描画し直す構成とすることも勿論できる。
【００５７】
ステップＳ１９０では、詳細には、ＣＰＵは、候補／候補外登録テーブルＴＢＬの「候補外画像」のフィールドＴｂに格納されたデータ名を順に読み出して、そのデータ名に対応する画像データを、その格納場所、例えばハードディスクドライブから読み出して、それら画像データからサムネールを作成して（あるいは、画像データに含まれるサムネールを読み出して）、それらサムネールを候補外用エリアＡ２内に表示する。ステップＳ１７０またはＳ１９０の実行後、「リターン」に抜けて、この一覧表示処理のルーチンを一旦終了する。
【００５８】
図８は、ステップＳ２００で実行される候補／候補外変更処理の詳細を示す説明図である。図示するように、処理が開始されると、コンピュータ本体１２のＣＰＵは、まず、ステップＳ１００で一覧表示された候補用エリアＡ１（または候補外用エリアＡ２）内のサムネールを選択指示する（ステップＳ２１０）。この選択指示は、作業者によるマウス１８を用いたクリック操作により行なわれる。選択指示されるサムネールは、作業者が選択の候補となる画像（または候補外の画像）であると判断したもので、１または複数の画像が指示される。図９は、選択指示がなされた後のサブウィンドウＷＤ２の候補用エリアＡ１の一例を示す説明図である。図示するように、選択指示された４番目、８番目、１０番目、１２番目のサムネールＴＮ（以下、サムネール［４］、［８］、［１０]、［１２］と呼ぶ）が高輝度に表示される。
【００５９】
図８に戻り、次いで、ＣＰＵは、作業フィールドＦＬ２３に表示された候補用エリアＡ１（または候補外用エリアＡ２）に設けられた変更ボタンＣＢが、作業者によるマウス操作によってクリックされたか否かを判別する（ステップＳ２２０）。変更ボタンＣＢは、両エリアＡ１、Ａ２の左上、詳細には、「入力候補」のタブＴＢ１の直下に設けられたボタンスイッチであり、候補画像を候補外画像へ、あるいは候補外画像を候補画像へ切り換える（変更する）旨を指示するためのものである。なお、候補用エリアＡ１の変更ボタンＣＢには、「候補外へ」という文字列が表示されており（図９参照）、候補外用エリアＡ２の変更ボタンＣＢには、「入力候補へ」という文字列が表示されている（図１３参照）。
【００６０】
ステップＳ２２０で、変更ボタンＣＢがクリックされたと判別された場合には、ＣＰＵは、ステップＳ２３０に処理を進める。一方、ステップＳ２２０で、否定判別された場合には、ステップＳ２２０の処理を繰り返して、変更ボタンＣＢがクリックされるのを待つ。なお、フローチャートには記載されていないが、このステップＳ２２０の処理の繰り返し時に他の入力操作があった場合には、「リターン」に処理を進めて、このルーチンを一旦終了する。
【００６１】
ステップＳ２３０では、ＣＰＵは、現在のフラグＦが値０であるか否かを判別する。ここで、フラグＦが値０であると判別された場合には、現在表示されているのは候補用エリアＡ１であるとして、ＣＰＵは、ステップＳ２１０で選択指示されたサムネールに対応する画像データを「候補外画像」に登録する（ステップＳ２４０）。詳細には、候補／候補外登録テーブルＴＢＬの「候補画像」のフィールドＴａに格納された、上記サムネールに対応する画像データについてのデータ名を、「候補外画像」のフィールドＴｂに移動する（移動元のデータ名は削除）。
【００６２】
一方、ステップＳ２３０で、フラグＦが値０でない（＝１）と判別された場合には、現在表示されているのは候補外用エリアＡ２であるとして、ＣＰＵは、ステップＳ２１０で選択指示されたサムネールに対応する画像データを「候補画像」に登録する（ステップＳ２５０）。詳細には、候補／候補外登録テーブルＴＢＬの「候補外画像」のフィールドＴｂに格納された、上記サムネールに対応する画像データについてのデータ名を、「候補画像」のフィールドＴａに移動する（移動元のデータ名は削除）。
【００６３】
ステップＳ２４０またはＳ２５０の実行後、ＣＰＵは、ステップＳ２２０でクリックされたサムネールを、候補用エリアＡ１（または候補外用エリアＡ２）の表示から削除する（ステップＳ２６０）。その後、「リターン」に抜けて、このサムネール移動処理のルーチンを一旦終了する。
【００６４】
図１０は、サムネール移動処理が終了後の候補用エリアＡ１を示す説明図である。図示するように、選択指示されたサムネール［４］、［８］、［１０]、［１２］が、サブウィンドウＷＤ２の候補用エリアＡ１内から削除されることになる。図１１は、このときの候補／候補外登録テーブルＴＢＬの内容の一例を示す説明図である。図示するように、候補／候補外登録テーブルＴＢＬの「候補外画像」のフィールドＴｂには、上記サムネール［４］、［８］、［１０]、［１２］に対応する画像データについてのデータ名が、「候補画像」のフィールドＴａから移動して格納されている。
【００６５】
図１２は、ステップＳ３００で実行される表示の切換処理の詳細を示す説明図である。図示するように、処理が開始されると、コンピュータ本体１２のＣＰＵは、「候補外」のタブＴＢ２が、マウス１８によってクリック操作されたか否かを判別し（ステップＳ３１０）、また、「入力候補」のタブＴＢ１が、マウス１８によってクリック操作されたか否かを判別する（ステップＳ３２０）。ステップＳ３１０で「候補外」のタブＴＢ２がクリックされたと判別された場合には、フラグＦを値１にセットする（ステップＳ３３０）。ステップＳ３２０で「入力候補」のタブＴＢ１がクリックされたと判別された場合には、フラグＦを値０にセットする（ステップＳ３４０）。
【００６６】
ステップＳ３３０またはＳ３４０の実行後、ＣＰＵは、ステップＳ３５０に処理を進めて、一覧表示処理を実行する。この一覧表示処理は、図４を用いて先に説明した一覧表示処理である。ステップＳ３５０の実行後、「リターン」に抜けてこの表示の切換処理のルーチンを一旦終了する。なお、ステップＳ３１０，Ｓ３２０で共に否定判別された場合にも、「リターン」に抜けてこの表示の切換処理のルーチンを一旦終了する。
【００６７】
すなわち、この表示の切換処理によれば、「候補外」のタブＴＢ２がクリックされた場合には、フラグＦを、候補外用エリアＡ２を示す値１に切り換えることで、一覧表示処理でその候補外用エリアＡ２の表示がなされるようにする。一方、「入力候補」のタブＴＢ１がクリックされた場合には、フラグＦを、候補用エリアＡ１を示す値０に切り換えることで、一覧表示処理でその候補用エリアＡ１の表示がなされるようにする。
【００６８】
図１３は、候補外用エリアＡ２が表示されたサブウィンドウＷＤ２の一例を示す説明図である。図９に例示するようにサムネール［４］、［８］、［１０]、［１２］が選択指示された場合に、この表示の切換処理で候補外用エリアＡ２側に表示が切り換えられた場合、図１３に示すように、サブウィンドウＷＤ２の候補外用エリアＡ２内には、上記選択指示されたサムネール［４］、［８］、［１０]、［１２］が表示される。
【００６９】
上述したステップＳ１００ないしＳ３００の処理により、作業者は、多数のサムネールから選択の候補となる画像を候補用エリアＡ１に集めて表示することができる。なお、図３において、ステップＳ２００は一回の処理だけであるが、実際は、作業者のマウス１８を用いた操作により、このステップＳ２００を必要に応じて何度も繰り返し実行可能となっており、これにより、選択の候補となる候補画像を何枚かに絞って、また、その候補画像の中からさらに候補となるものを絞り込んでいくというようなことができる。
【００７０】
ステップＳ３００で候補用エリアＡ１に表示が切り換えられた後、ＣＰＵは、この候補用エリアＡ１の中から最終的な１枚のサムネールを選択するという処理を行なう（ステップＳ４００）。この処理は、作業者によるマウス１８を用いたクリック操作を受けて１枚のサムネールを選択するというものである。その後、ＣＰＵは、「開く」のボタンＢＴ８（図１０参照）がクリックされるのを待って、ステップＳ４００で選択されたサムネールに対応する画像データをその格納場所から読み出して、アプリケーションウィンドウＷＤ１の作業フィールドＦＬ３にその画像データを表示する処理を行なう（ステップＳ５００）。なお、サブウィンドウＷＤ２については、画像入力の作業が終了したので液晶ディスプレイ１４から表示が消される。その後、この画像選択処理のルーチンを終了する。
【００７１】
こうした構成の画像選択処理のうちのステップＳ１１０ないしＳ１３０の処理が、候補／候補外記憶部４１（図１）に対応し、ステップＳ１７０の処理が、候補画像表示部制御４２（図１）に対応し、ステップＳ２１０の処理が、画像指示部４３（図１）に対応し、ステップＳ２２０の処理が、変更指示部４４（図１）に対応し、ステップＳ２３０，Ｓ２４０の処理が、変更実行部４５（図１）に対応する。
【００７２】
Ｃ．作用・効果
以上のように構成された本実施例によれば、操作者は、候補用エリアＡ１上でサムネールをクリック操作により選択指示して、その後、変更ボタンＣＢをクリックするだけで、そのサムネールに対応する画像データを候補外画像に変更することができる。このために、作業者は候補画像を順に絞り込んでいくことができる。したがって、複数の画像の中から所望の画像を選択する際に、新たなフォルダを作成したり等の余分な作業を行なう必要がないことから、作業性を向上させることができる。
【００７３】
また、この実施例では、候補外用エリアＡ２に表示された候補外画像を、候補画像に変更することもできることから、一旦候補外とした画像データを候補に戻すこともできる。このために、より作業性に優れている。
【００７４】
さらに、この実施例では、選択指示されたサムネールの画像データの候補／候補外の登録の変更を、変更ボタンＣＢというボタンスイッチをクリックするだけで行なうことができることから、操作性に優れている。
【００７５】
また、この実施例では、候補用エリアＡ１と候補外用エリアＡ２とが、それぞれカード型の形状となって、そのカードの左上にタブＴＢ１，ＴＢ２が設けられていることから、操作者は、そのタブＴＢ１，ＴＢ２をクリック操作するだけで、両エリアＡ１，Ａ２の表示を切り換えることできる。したがって、候補用エリアＡ１と候補外用エリアＡ２との表示の切換えが容易であり、作業性に優れている。
【００７６】
Ｄ．他の実施形態：
本発明は上記の実施例や実施形態に限られるものではなく、本発明の要旨を逸脱しない範囲において種々なる態様にて実施することが可能であり、例えば次のような変形も可能である。
【００７７】
（１）前記実施例では、表示エリアＡに表示する画像は、画像データで表わされる画像を縮小したサムネールであったが、これに換えて、画像データをそのまま一覧表示する構成とすることもできるし、画像データの一部の画像を表示する構成とすることもできる。
【００７８】
（２）前記第１実施例では、候補用エリアＡ１上でクリックされたサムネールを、候補外画像へ切り換える構成としていたが、これに換えて、クリックがされたサムネールを除いた残りのサムネールをその切換の対称とすることもできる。
【００７９】
（３）前記実施例では、画像指示部４３、変更指示部４４は、作業者によるマウス１８の操作に応じて動作する構成となっていたが、必ずしもマウス１８に限る必要はなく、キーボード１６等の他の入力装置に応じて動作する構成とすることもできる。
【００８０】
（４）前記実施例では、候補用エリアＡ１と候補外用エリアＡ２とは、それぞれカード型の形状としたが、これに換えて、単なる矩形の形状等、他の形状とすることもできる。また、必ずしもタブＴＢ１，ＴＢ２を設ける必要もなく、例えば、キーボード１６の操作によって両エリアＡ１，Ａ２の表示が切り替わるように構成してもよい。また、変更ボタンＣＢに替えて、キーボード１６の操作に応じて、候補画像と候補外画像との間の移行がなされる構成とすることもできる。
【００８１】
（５）前記実施例では、候補用エリアＡ１と候補外用エリアＡ２とは、画面上の同一の位置に切り換えて表示されるが、これに換えて、エリアそのものは共通の一つのものとして、エリア切換えの指示があるごとに、そのエリアの役割を候補用エリアＡ１と候補外用エリアＡ２に切り換える構成とすることもできる。
【００８２】
（６）前記実施例では、画像データの格納場所の移動は行なわずに、複数の画像が候補画像と候補外画像とのどちらに該当するかを、候補／候補外登録テーブルに登録するように構成したが、これに換えて、画像データの格納場所を移動することでどちらに該当するかを示す構成とすることもできる。また、テーブルに限る必要もなく、各画像データに、候補画像か候補外画像かを示す符号を付加することで、どちらに該当するかを示す構成とすることができる。
【００８３】
（７）前記実施例では、複数の画像を候補画像と候補外画像の２種類に分類する構成であったが、これに換えて、「候補画像」と「次候補画像」と「候補外画像」の３種類に分類する構成とすることもできる。そうして、３種類の各分類に対応する３つエリアに、分類された各画像を表示して、各エリアの表示を切り換える構成とする。さらには、３よりも多くの数に分類する構成とすることもできる。
【図面の簡単な説明】
【００８４】
【図１】本発明の一実施例を適用するコンピュータシステムの概略構成を示す説明図である。
【図２】このアプリケーションウィンドウＷＤ１の初期状態を示す説明図である。
【図３】画像選択処理のルーチンを示すフローチャートである。
【図４】ステップＳ１００で実行される一覧表示処理の詳細を示すフローチャートである。
【図５】初期状態のサブウィンドウＷＤ２を示す説明図である。
【図６】候補／候補外登録テーブルＴＢＬのデータ構成を示す説明図である。
【図７】ステップＳ１６０，Ｓ１７０の実行後のサブウィンドウＷＤ２の一例を示す説明図である。
【図８】ステップＳ２００で実行される候補／候補外変更処理の詳細をフローチャートである。
【図９】選択指示がなされた後のサブウィンドウＷＤ２の候補用エリアＡ１の一例を示す説明図である。
【図１０】サムネール移動処理が終了後の候補用エリアＡ１の一例を示す説明図である。
【図１１】サムネール移動処理が終了後の候補／候補外登録テーブルＴＢＬの内容の一例を示す説明図である。
【図１２】ステップＳ３００で実行される表示の切換処理の詳細を示すフローチャートである。
【図１３】候補外用エリアＡ２が表示されたサブウィンドウＷＤ２の一例を示す説明図である。
【符号の説明】
【００８５】
１０...パーソナルコンピュータ
１２...コンピュータ本体
１４...液晶ディスプレイ
１６...キーボード
１８...マウス
２０...デジタルカメラ
３０...プリンタ
４０...制御部
４１...候補／候補外記憶部
４２...候補画像表示制御部
４３...画像指示部
４４...変更指示部
４５...変更実行部
５０...入力部
Ａ...表示エリア
Ａ１...候補用エリア
Ａ２...候補外用エリア
ＴＮ...サムネール
ＷＤ１...アプリケーションウィンドウ
ＷＤ２...サブウィンドウ
ＴＢ１，ＴＢ２...タブ
ＣＢ...変更ボタン
【図１】
2008263617.tif 000003
【図２】
2008263617.tif 000004
【図３】
2008263617.tif 000005
【図４】
2008263617.tif 000006
【図５】
2008263617.tif 000007
【図６】
2008263617.tif 000008
【図７】
2008263617.tif 000009
【図８】
2008263617.tif 000010
【図９】
2008263617.tif 000011
【図１０】
2008263617.tif 000012
【図１１】
2008263617.tif 000013
【図１２】
2008263617.tif 000014
【図１３】
2008263617.tif 000015
【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
コンピュータを、
複数の画像のそれぞれが、候補の優先度が相違する複数のグループのいずれに該当するかを記憶する候補記憶手段と、
前記複数のグループのそれぞれに対応する複数のグループ別エリアのうちのいずれか一つを、所定の表示エリアに表示するエリア表示制御手段と、
前記エリア表示制御手段により表示されるグループ別エリアを切り換えるエリア切換手段と、
前記エリア切換手段によりグループ別エリアの表示の切り換えがなされたときに、前記切り換えられたグループ別エリアに対応するグループ以外のグループに該当することが前記候補記憶手段により記憶された画像を表示させずに、前記切り換えられたグループ別エリアに対応するグループに該当することが前記候補記憶手段により記憶された画像を、前記切り換えられたグループ別エリアに表示させる画像表示制御手段と
として機能させるためのコンピュータプログラム。
【請求項２】
コンピュータを、
複数の画像のそれぞれが、候補の優先度が相違する複数のグループのいずれに該当するかを記憶する候補記憶手段と、
所定の表示エリアを表示するエリア表示制御手段と、
前記エリア表示制御手段により表示される前記表示エリアの役割を、前記複数のグループのそれぞれに対応する複数のグループ別エリアを個別に表示する複数の役割のうちのいずれか一つに切り換えるエリア切換手段と、
前記エリア切換手段によりグループ別エリアの表示の切り換えがなされたときに、前記切り換えられたグループ別エリアに対応するグループ以外のグループに該当することが前記候補記憶手段により記憶された画像を表示させずに、前記切り換えられたグループ別エリアに対応するグループに該当することが前記候補記憶手段により記憶された画像を、前記切り換えられたグループ別エリアに表示させる画像表示制御手段と
として機能させるためのコンピュータプログラム。
【請求項３】
前記グループ別エリアの数は、３以上の数である、請求項１または２記載のコンピュータプログラム。
【請求項４】
複数の画像のそれぞれが、候補の優先度が相違する複数のグループのいずれに該当するかを記憶する候補記憶手段と、
前記複数のグループのそれぞれに対応する複数のグループ別エリアのうちのいずれか一つを、所定の表示エリアに表示するエリア表示制御手段と、
前記エリア表示制御手段により表示されるグループ別エリアを切り換えるエリア切換手段と、
前記エリア切換手段によりグループ別エリアの表示の切り換えがなされたときに、前記切り換えられたグループ別エリアに対応するグループ以外のグループに該当することが前記候補記憶手段により記憶された画像を表示させずに、前記切り換えられたグループ別エリアに対応するグループに該当することが前記候補記憶手段により記憶された画像を、前記切り換えられたグループ別エリアに表示させる画像表示制御手段と
を備える画像選択装置。
【請求項５】
複数の画像のそれぞれが、候補の優先度が相違する複数のグループのいずれに該当するかを記憶する候補記憶手段と、
所定の表示エリアを表示するエリア表示制御手段と、
前記エリア表示制御手段により表示される前記表示エリアの役割を、前記複数のグループのそれぞれに対応する複数のグループ別エリアを個別に表示する複数の役割のうちのいずれか一つに切り換えるエリア切換手段と、
前記エリア切換手段によりグループ別エリアの表示の切り換えがなされたときに、前記切り換えられたグループ別エリアに対応するグループ以外のグループに該当することが前記候補記憶手段により記憶された画像を表示させずに、前記切り換えられたグループ別エリアに対応するグループに該当することが前記候補記憶手段により記憶された画像を、前記切り換えられたグループ別エリアに表示させる画像表示制御手段と
を備える画像選択装置。
【請求項６】
前記グループ別エリアの数は、３以上の数である、請求項４または５記載の画像選択装置。
【請求項７】
請求項１ないし３のいずれかに記載のコンピュータプログラムを記録したコンピュータ読み取り可能な記録媒体。